(57)【特許請求の範囲】
【請求項１】
複数のパネル部を備えたブランクシートを組み立てることで形成され、
前記ブランクシートを組み立てた状態において、
前面部と、該前面部に対向配置された後面部と、前記前面部と前記後面部とに跨る一対の側面部とを備えた筒状周壁と、
前記筒状周壁の下端開口を塞ぐ底面部と、
前記筒状周壁の上端開口を開閉する蓋部と、を有する紙箱であって、
前記蓋部は、前記後面部の上端に折り目を介して連設され且つ前記上端開口を塞ぐ上面部と、該上面部に折り目を介して連設され且つ前記前面部を被覆する被覆部とを備え、
前記被覆部は、前記前面部に接着される周壁接着部と、前記上面部に連なったままの状態で前記周壁接着部から切り離し可能であり且つ該切り離し後の前記蓋部を閉じた状態で前記前面部に係止可能な係止部とを備え、
前記上面部の下面に接着させるための接着片が、少なくとも一方の前記側面部の上端に折り目を介して切り離し可能に連設され、
前記接着片の内側に重ねられる内側片が、前記接着片の内側において前記側面部の上端に折り目を介して連設されていることを特徴とする紙箱。
【請求項２】
前記側面部は、複数の前記パネル部が互いに重ね合わされて構成され、
前記接着片が、前記側面部を構成するいずれかのパネル部の上端に連設され、
前記内側片が、前記側面部において前記接着片に連設されたパネル部よりも内側に配置されたパネル部の上端に連設されていることを特徴とする請求項１に記載の紙箱。
【請求項３】
前記前面部と前記側面部との境界と、前記後面部と前記側面部との境界とに、複数の切り目からなるミシン目が形成されていることを特徴とする請求項１または２に記載の紙箱。
【請求項４】
前記側面部は、複数の前記パネル部が互いに重ね合わされて構成され、
前記側面部を構成するいずれかのパネル部に、前記筒状周壁に囲まれた内部空間を仕切るための帯状の仕切板が折り目を介して連設されていることを特徴とする請求項１〜３のいずれかに記載の紙箱。
【請求項５】
前記いずれかのパネル部と前記仕切板との境界に、複数の切り目からなるミシン目が形成されていることを特徴とする請求項４に記載の紙箱。
【発明の詳細な説明】
【技術分野】
【０００１】
本発明は、薬品の容器等を包装するために使用される紙箱に関する。
【背景技術】
【０００２】
薬品の容器等を包装するための紙箱に関して、箱の上面から前面にかけて設けられた蓋部を箱の前面部に接着することで、箱の中に容器等を封入し、蓋部に形成されたミシン目に沿って蓋部の一部を切り離すことで箱を開封する技術が提案されている。さらに、この種の紙箱に関して、紙箱の開封後、蓋部に設けられた係止部を、箱の前面部に設けられた差し込み口に差し込むことで、再封できるようにした技術が提案されている（特許文献１参照）。
【０００３】
【特許文献１】特開２００７−２５４０２６号公報
【発明の開示】
【発明が解決しようとする課題】
【０００４】
しかしながら、上述のように再封可能な紙箱に関して、従来は、未開封の状態において蓋部が箱の前面部にのみ接着されており、箱の上面においては蓋部の接着がなされていなかった。そのため、開封前に蓋部が誤って開いてしまう懸念を必ずしも十分に解消できていなかった。
【０００５】
そこで、本発明は、開封前に蓋部が誤って開いてしまうことを確実に防止できる紙箱を提供することを目的とする。
【課題を解決するための手段】
【０００６】
上記課題を解決するため、本発明に係る紙箱は、
複数のパネル部を備えたブランクシートを組み立てることで形成され、
前記ブランクシートを組み立てた状態において、
前面部と、該前面部に対向配置された後面部と、前記前面部と前記後面部とに跨る一対の側面部とを備えた筒状周壁と、
前記筒状周壁の下端開口を塞ぐ底面部と、
前記筒状周壁の上端開口を開閉する蓋部と、を有する紙箱であって、
前記蓋部は、前記後面部の上端に折り目を介して連設され且つ前記上端開口を塞ぐ上面部と、該上面部に折り目を介して連設され且つ前記前面部を被覆する被覆部とを備え、
前記被覆部は、前記前面部に接着される周壁接着部と、前記上面部に連なったままの状態で前記周壁接着部から切り離し可能であり且つ該切り離し後の前記蓋部を閉じた状態で前記前面部に係止可能な係止部とを備え、
前記上面部の下面に接着させるための接着片が、少なくとも一方の前記側面部の上端に折り目を介して切り離し可能に連設され、
前記接着片の内側に重ねられる内側片が、前記接着片の内側において前記側面部の上端に折り目を介して連設されていることを特徴とする。
【発明の効果】
【０００７】
本発明によれば、筒状周壁の上端開口を開閉する蓋部が、蓋部の被覆部が筒状周壁の外周面に接着されることに加えて、蓋部の上面部が、筒状周壁の上端の一部に連設された接着片に接着されることから、蓋部の接着が２面に亘ってなされることとなるため、開封前に蓋部が誤って開いてしまうことを確実に防止することができる。
【発明を実施するための最良の形態】
【０００８】
以下、添付図面を参照して本発明の好適な実施形態を説明する。なお、以下の説明では、特定の方向を意味する用語（例えば、「上」、「下」、「左」、「右」、およびそれらを含む他の用語）を使用するが、それらの使用は図面を参照した発明の理解を容易にするためであって、それらの用語の意味によって本発明は限定的に解釈されるべきものでない。
【０００９】
［第１の実施形態］
図１は、本発明の第１の実施形態に係る紙箱１を示す斜視図である。紙箱１は、例えば薬品や化粧品の容器等を包装するために使用されるものであり、図２に示すように複数のパネル部からなるブランクシート２を組み立てることで形成される。
【００１０】
図１に示すように、紙箱１は、筒状周壁４と、筒状周壁４の下端開口を塞ぐ底面部１４と、筒状周壁４の上端開口を開閉する蓋部１５とを備える。蓋部１５は、筒状周壁４の上端の一部に折り目７２を介して連設され且つ筒状周壁４の上端開口を塞ぐ上面部１６と、上面部１６に折り目７１を介して連設され且つ筒状周壁４の外周面の一部を被覆する被覆部１７とを有する。被覆部１７は、筒状周壁４の外周面に接着される周壁接着部２０と、上面部１６に連なったままの状態で周壁接着部２０から切り離し可能であり且つ該切り離し後の蓋部１５により筒状周壁４の上端開口を閉じたときに筒状周壁４に係止可能な係止部２２とを有する。周壁接着部２０と係止部２２との境界には、複数の切り込みからなるミシン目９１が形成されている。係止部２２の先端には、筒状周壁４に形成された後述の差し込み口２６に差し込まれる差し込み片２４が設けられている。
【００１１】
筒状周壁４は、蓋部１５の上面部１６が連設された後面部６と、後面部６に対向配置され且つ蓋部１５の被覆部１７に被覆される前面部８と、前面部８と後面部６とに跨る一対の側面図１０，１２とからなる。前面部８には、上述の係止部２２の差し込み片２４を差し込むための差し込み口２６が形成されている。各側面部１０，１２は、複数のパネル部、具体的には後述の３つのパネル部６０ａ〜６０ｃ，６２ａ〜６２ｃが互いに重ね合わされて構成されている（図４参照）。各側面部１０，１２の上端には、上面部１６の下面に接着させるための接着片３０が折り目８３，８４を介して連設されている。各側面部１０，１２の上端にはまた、接着片３０の内側に重ねられる内側片３２が折り目８１，８２を介して連設されている（図３参照）。本実施形態において、接着片３０は、側面部１０，１２において最も外側に配置されるパネル部６０ｃ，６２ｃに連設され、内側片３２は、側面部１０，１２において最も内側に配置されるパネル部６０ａ，６２ａに連設されている（図４参照）。
【００１２】
ただし、本発明において、接着片３０は、側面部１０，１２において最も内側に配置されるパネル部６０ａ，６２ａ以外のいずれのパネル部６０ｂ，６０ｃ，６２ｂ，６２ｃに連設されるようにしてもよく、内側片３２は、接着片３０に連設されたパネル部よりも内側に配置されたパネル部であればいずれのパネル部６０ａ，６０ｂ，６２ａ，６２ｂに連設されるようにしてもよい。また、本発明において、接着片３０及び／又は内側片３２は、いずれか一方の側面部の上端に連設されるようにしてもよい。
【００１３】
図２は、組み立てられたときに箱の内側に配置される面側から見たブランクシート２の平面図である。図２に示すように、ブランクシート２は、底面部１４を構成する底面パネル部６４と、前面部８を構成する前面パネル部５８と、後面部６を構成する後面パネル部５６と、一方の側面部１０を構成する３つの側面パネル部６０ａ，６０ｂ，６０ｃと、他方の側面部１２を構成する３つの側面パネル部６２ａ，６２ｂ，６２ｃと、上面部１６を構成する上面パネル部６６と、被覆部１７を構成する被覆パネル部６７とを有する。
【００１４】
図中の上下方向において上から順に、被覆パネル部６７、上面パネル部６６、後面パネル部５６、底面パネル部６４、及び前面パネル部５８が、折り目７１〜７４を介して直線状に並んで連設されている。
【００１５】
一方の側面部１０は、組み立てられたときに最も内側に配置される第１の側面パネル部６０ａと、第１の側面パネル部６０ａの外側に配置される第２の側面パネル部６０ｂと、第２の側面パネル部６０ｂの外側、すなわち最も外側に配置される第３の側面パネル部６０ｃとで構成される。同様に、他方の側面部１２は、組み立てられたときに最も内側に配置される第１の側面パネル部６２ａと、第１の側面パネル部６２ａの外側に配置される第２の側面パネル部６２ｂと、第２の側面パネル部６２ｂの外側、すなわち最も外側に配置される第３の側面パネル部６２ｃとで構成される。第１の側面パネル部６０ａ，６２ａは、底面パネル部６４に折り目７７，７８を介して連設され、第２の側面パネル部６０ｂ，６２ｂは、後面パネル部５６に折り目７５，７６を介して連設され、第３の側面パネル部６０ｃ，６２ｃは、前面パネル部５８に折り目７９，８０を介して連設されている。後面パネル部５６と第２の側面パネル部６０ｂ，６２ｂとの境界と、前面パネル部５８と第３の側面パネル部６０ｃ，６２ｃとの境界とには、複数の切り込みからなるミシン目９２〜９５が形成されている。また、第３の側面パネル部６０ｃ，６２ｃと接着片３０との境界にも、複数の切り込みからなるミシン目９６，９７が形成されており、これにより、接着片３０が側面部１０，１２の上端から切り離し可能となっている。
【００１６】
第１の側面パネル部６０ａ，６２ａ、第２の側面パネル部６０ｂ，６０ｂ、及び接着片３０の外側の面には、シール部Ｓ１〜Ｓ３が所定箇所に設けられている（図３〜図５参照）。また、周壁接着部２０の内側の面にもシール部Ｓ４が所定箇所に設けられている。シール部Ｓ１〜Ｓ４には、ブランクシート２の組立て前に予め接着剤が塗布される。
【００１７】
図３〜図６に基づき、ブランクシート２を組み立てる手順について説明する。図３に示すように、先ず、第１の側面パネル部６０ａ，６２ａを折り目７７，７８に沿って略直角に折り曲げる。続いて、図４に示すように、後面パネル部５６を折り目７３に沿って略直角に折り曲げた後、第２の側面パネル部６０ｂ，６２ｂを折り目７５，７６に沿って略直角に折り曲げ、第１の側面パネル部６０ａ，６２ａの外側の面に第２の側面パネル部６０ｂ，６２ｂを貼り合わせる。次に、図５に示すように、前面パネル部５８を折り目７４に沿って略直角に折り曲げた後、第３の側面パネル部６０ｃ，６２ｃを折り目７９，８０に沿って略直角に折り曲げ、第２の側面パネル部６０ｂ，６２ｂの外側の面に第３の側面パネル部６０ｃ，６２ｃを貼り合わせる。これにより、接着片３０の内側に内側片３２が重ねられる（図１参照）。最後に、薬品の容器等の収容物を箱の内部に収容した状態で蓋部１５を閉じることで、図６に示すようにブランクシート２の組立てが完了し、これにより紙箱１の内部に収容物が封入される。蓋部１５を閉じる際、具体的には、接着片３０と内側片３２を折り目８１〜８４に沿って内側に折り曲げた状態で、上面パネル部６６を折り目７２に沿って略直角に折り曲げ、接着片３０の外側の面に上面パネル部６６を貼り合わせる。さらに、被覆パネル部６７を折り目７１に沿って略直角に折り曲げ、前面パネル部５８の外側の面に被覆パネル部６７の周壁接着部２０を貼り合わせる。これにより、蓋部１５の上面部１６が接着片３０に接着され、蓋部１５の被覆部１７が前面部８に接着されることから、蓋部１５の接着が紙箱１の前面と上面の２面で行われることとなる。そのため、従来のように紙箱の前面のみで蓋部の接着を行う場合に比べて、開封前に誤って蓋部１５が開いてしまうことを一層確実に防止することができる。
【００１８】
紙箱１に収容物が封入された状態において、紙箱１を押さえながら蓋部１５の先端に設けられた差し込み片２４を摘んで引き上げることにより、図７に示すように紙箱１を開封することができる。具体的に、かかる開封操作により、蓋部１５の被覆部１７において、ミシン目９１に沿って係止部２２が周壁接着部２０から切り離されるとともに、蓋部１５の上面部１６の下面に接着された接着片３０が、ミシン目９６，９７に沿って第３の側面パネル部６０，６２ｃから切り離され、これにより、蓋部１５を開くことができる。このようにして紙箱１を開封すると、接着片３０が側面部１０，１２から切り離されるが、開封前に接着片３０の内側に重ねられていた内側片３２は、側面部１０，１２の上端に連設された状態が維持される。紙箱１をいったん開封した後に蓋部１５を閉じるとき、蓋部１５の先端の差し込み片２４を前面部８の差し込み口２６に差し込むことで、蓋部１５の係止部２２を前面部８に係止することができ、これにより、一旦開封した紙箱１に薬品の容器等の収容物を再封入することが可能となる。このとき、蓋部１５の上面部１６は、内側片３２の外側に重ねられることとなるため、蓋部１５の上面部１６と側面部１０，１２の上端との間の隙間を内側片３２により概ね塞ぐことができる。
【００１９】
開封後の紙箱１を廃棄する際、図８に示すように、側面部１０，１２を外側に倒すようにしながら、第３の側面パネル部６０ｃ，６２ｃをミシン目９４，９５に沿って前面部８から切り離し、第２の側面パネル部６０ｂ，６２ｂをミシン目９２，９３に沿って後面部６から切り離すことで、側面部１０，１２を前面部８及び後面部６から容易に切り離すことができる。これにより、紙箱１を容易に薄板状にすることができ、廃棄時の利便性が高められる。
【００２０】
［第２の実施形態］
図９〜図２０を参照しながら本発明の第２の実施形態について説明する。なお、図９〜図２０において、第１の実施形態と同様の構成からなる部材には、第１の実施形態と同じ符号を付してある。
【００２１】
図９に示すように、第２の実施形態に係る紙箱１０１は、第１の実施形態に係る紙箱１と同様、筒状周壁４と、筒状周壁４の下端開口を塞ぐ底面部１４と、筒状周壁４の上端開口を開閉する蓋部１５とを備え、それら筒状周壁４、底面部１４及び蓋部１５は、第１の実施形態と同様に構成されている。
【００２２】
しかし、第２の実施形態に係る紙箱１０１は、第１の実施形態と異なり、筒状周壁４に囲まれた内部空間を仕切る仕切り部材１１０を有する。第２の実施形態において、仕切部材１１０は、仕切部材１１０により区切られる複数の区分が紙箱１０１の前面側から見て横方向に並ぶように設けられ、仕切部材１１０により区切られた各区分は、前面部８から後面部６に跨る前後方向に細長い空間となっている。このようにして仕切部材１１０を設けることで、仕切部材１１０により区切られた各区分に、複数の収容物を整然と並べて収容することができる。
【００２３】
紙箱１０１は、図１０に示すブランクシート１０２を組み立てることで形成される。なお、図１０は、組み立てられたときに箱の内側に配置される面側から見たブランクシート１０２の平面図である。ブランクシート１０２は、第１の実施形態に係るブランクシート２と概ね同様に構成されているが、仕切部材１１０を構成する一対の帯状の仕切板１１２，１１４を有する点で第１の実施形態と異なる。また、第２の実施形態では、第１の実施形態と異なり、第２の側面パネル部６０ｂ，６２ｂが、組み立てられたときに最も内側に配置され、第２の側面パネル部６０ｂ，６２ｂの外側に第１の側面パネル部６０ａ，６２ａが配置される。なお、第３の側面パネル部６０ｃ，６２ｃは、第１の実施形態と同様、第１の側面パネル部６０ａ，６２ａの外側、すなわち最も外側に配置される。
【００２４】
一方の仕切板１１２は、折り目１３０を介して第２の側面パネル部６２ｂに連設されている。仕切板１１２と第２の側面パネル部６２ｂとの境界には、複数の切り込みからなるミシン目１３４が形成されている。仕切板１１２は、組み立てられた状態において紙箱１０１の内部空間を仕切る第１および第２の仕切り部１１６ａ，１１６ｂと、所定箇所に接着される第１〜第３の接着部１１８ａ〜１１８ｃとを有する。仕切板１１２を構成する各部について、第２の側面パネル部６２ｂに連設された基端側から順に、第１の接着部１１８ａ、第１の仕切り部１１６ａ、第２の接着部１１８ｂ、第２の仕切り部１１６ｂ、及び第３の接着部１１８ｃが、直線状に並んだ状態で折り目１４１〜１４４を介して連設されている。第２の接着部１１８ｂの内側の面にはシール部Ｓ１１が設けられている。
【００２５】
他方の仕切板１１４は、折り目１３２を介して第２の側面パネル部６０ｂに連設されている。仕切板１１４と第２の側面パネル部６０ｂとの境界には、複数の切り込みからなるミシン目１３６が形成されている。仕切板１１４は、組み立てられた状態において紙箱１の内部空間を仕切る第３および第４の仕切り部１１６ｃ，１１６ｄと、所定箇所に接着される第４〜第６の接着部１１８ｄ〜１１８ｆと、複数の接着部１１８ａ，１１８ｃ，１１８ｄ，１１８ｆが接着される被接着部１２０とを有する。仕切板１１４を構成する各部について、第２の側面パネル６０ｂに連設された基端側から順に、第６の接着部１１８ｆ、第４の仕切り部１１６ｄ、第５の接着部１１８ｅ、第３の仕切り部１１６ｃ、及び第４の接着部１１８ｄが直線状に並んだ状態で折り目１４６〜１４９を介して連設されている。また、被接着部１２０は、図１０において横方向に長く形成され、横方向の中央やや左寄りの部分において、第４の接着部１１８ｄの下端に折り目１４５を介して連設されている。第５の接着部１１８ｅ及び被接着部１２０の内側の面には、シール部Ｓ１２〜Ｓ１６が設けられている。
【００２６】
図１１〜図１９に基づき、ブランクシート１０２を組み立てる手順について説明する。図１１に示すように。先ず、仕切板１１４全体を折り目１３２に沿って折り曲げ、仕切板１１４の第５の接着部１１８ｅを後面パネル部５６の内側の面に貼り合わせる。続いて、図１２に示すように、仕切板１１４の第３の仕切り部１１６ｃを折り目１４７に沿って折り返し、もう一方の仕切板１１２の第１の仕切り部１１６ａを折り目１４１に沿って折り曲げ、仕切板１１２の先端部を、他方の仕切板１１４の上に重ねる。次に、図１３に示すように、仕切板１１２の第２の接着部１１８ｂを折り目１４２に沿って折り曲げながら、第２の側面パネル部６２ｂを折り目７６に沿って折り曲げ、図１４に示すように第２の側面パネル部６２ｂを後面パネル部５６の内側の面に重ねる。このとき、第２の側面パネル部６２ｂと後面パネル部５６との間に介在する第２の接着部１１８ｂが、後面パネル部５６の内側の面に貼り合わされる。また、このとき、一方の仕切板１１２の第１および第３の接着部１１８ａ，１１８ｃと、他方の仕切板１１４の第４および第６の接着部１１８ｄ，１１８ｆとが表面に露出した状態となる。続いて、仕切板１１４の被接着部１２０を折り目１４５に沿って折り曲げて、第１の接着部１１８ａ、第３の接着部１１８ｃ、第４の接着部１１８ｄ及び第６の接着部１１８ｆに、被接着部１２０を貼り合わせ、これにより図１５に示す状態となり、折り畳まれた状態の仕切部材１１０が形成される。
【００２７】
次に、図１６に示すように、後面パネル部５６を折り目７３に沿って略直角に折り曲げる。続いて、図１７に示すように、折り畳まれていた仕切部材１１０を拡げながら、第２の側面パネル部６０ｂ，６２ｂを折り目７５，７６に沿って折り曲げ、第２の側面パネル部６０ｂ，６２ｂが前後方向に沿って配置されるようにする。次に、図１８に示すように、第１の側面パネル部６０ａ，６２ａを折り目７７，７８に沿って略直角に折り曲げ、第２の側面パネル部６０ｂ，６２ｂの外側の面に第１の側面パネル部６０ａ，６２ａを貼り合わせる。続いて、図１９に示すように、前面パネル部５８を折り目７４に沿って略直角に折り曲げた後、第３の側面パネル部６０ｃ，６２ｃを折り目７９，８０に沿って略直角に折り曲げ、第１の側面パネル部６０ａ，６２ａの外側の面に第３の側面パネル部６０ｃ，６２ｃを貼り合わせ、これにより図９に示す状態となり、接着片３０の内側に内側片３２が重ねられる。最後に、第１の実施形態と同様、薬品の容器等の収容物を箱の内部に収容した状態で蓋部１５を閉じることで、ブランクシート１０２の組立てが完了し、これにより紙箱１０１の内部に収容物が封入される（図６参照）。第２の実施形態においても、第１の実施形態と同様、蓋部１５の上面部１６が接着片３０に接着され、蓋部１５の被覆部１７が前面部８に接着されることから、蓋部１５の接着が紙箱１０１の前面と上面の２面で行われることとなるため、開封前に誤って蓋部１５が開いてしまうことを確実に防止することができる。
【００２８】
紙箱１０１の開封、及び開封後の再封入は、第１の実施形態と同様に行うことができる（図７参照）。また、第１の実施形態と同様、開封時に接着片３０が側面部１０，１２から切り離されるが、内側片３２は側面部１０，１２に連設された状態が維持されるため、開封後の再封入の際、蓋部１５の上面部１６と側面部１０，１２の上端との間の隙間を内側片３２により概ね塞ぐことができる。
【００２９】
開封後の紙箱１０１を解体する際、図２０に示すように、側面部１０，１２を外側に倒すようにしながら、第３の側面パネル部６０ｃ，６２ｃをミシン目９４，９５に沿って前面部８から切り離し、第２の側面パネル部６０ｂ，６２ｂをミシン目９２，９３，１３４，１３６に沿って後面部６と仕切板１１２，１１４とから切り離すことで、側面部１０，１２を前面部８、後面部６及び仕切板１１２，１１４から容易に切り離すことができる。これにより、紙箱１０１を容易に薄板状にすることができ、廃棄時の利便性が高められる。
【００３０】
［第３の実施形態］
図２１〜図２９を参照しながら本発明の第３の実施形態について説明する。なお、図２１〜図２９において、第１または第２の実施形態と同様の構成からなる部材には、第１又は第２の実施形態と同じ符号を付してある。
【００３１】
図２１に示すように、第３の実施形態に係る紙箱２０１は、第１の実施形態に係る紙箱１と同様、筒状周壁４と、筒状周壁４の下端開口を塞ぐ底面部１４と、筒状周壁４の上端開口を開閉する蓋部１５とを備え、それら筒状周壁４、底面部１４及び蓋部１５は、第１の実施形態と同様に構成されている。
【００３２】
紙箱２０１は、第２の実施形態と同様、筒状周壁４に囲まれた内部空間を仕切る仕切り部材２１０を有するが、仕切部材２１０の構成が第２の実施形態と異なる。第３の実施形態に係る仕切部材２１０は、筒状周壁４に囲まれた空間を前後に並ぶ２つの空間に大きく区分し、これにより大きく区分された前面側の空間を、横方向に並ぶ複数の空間にさらに区分するように構成されている。このようにして仕切部材２１０を設けることで、前面側の小さな区分に、薬品の容器等の比較的小さな収容物を整然と並べて収容することができ、後面側の大きな区分に、添付文書等の比較的大きな収容物を収容することができる。
【００３３】
紙箱２０１は、図２２に示すブランクシート２０２を組み立てることで形成される。なお、図２２は、組み立てられたときに箱の内側に配置される面側から見たブランクシート２０２の平面図である。ブランクシート２０２は、第２の実施形態に係るブランクシート１０２と概ね同様に構成されているが、仕切部材２１０を構成する仕切板２１２，２１４の構成が第２の実施形態と異なる。
【００３４】
一方の仕切板２１２は、折り目２３０を介して第２の側面パネル部６２ｂに連設されている。仕切板２１２と第２の側面パネル部６２ｂとの境界には、複数の切り込みからなるミシン目２３４が形成されている。仕切板２１２は、組み立てられた状態において紙箱２０１の内部空間を前後方向に区切る区切り部２２２と、区切り部２２２により区切られる前面側の空間を横方向に仕切る第１および第２の仕切り部２１６ａ，２１６ｂと、所定箇所に接着される第１〜第３の接着部２１８ａ〜２１８ｃとを有する。仕切板２１２を構成する各部について、第２の側面パネル部６２ｂに連設された基端側から順に、第１の接着部２１８ａ、第１の仕切り部２１６ａ、第２の接着部２１８ｂ、第２の仕切り部２１６ｂ、及び第３の接着部２１８ｃは、直線状に並んだ状態で折り目２４１〜２４４を介して連設されている。区切り部２２２は、図２２において横方向に長く形成され、横方向の中央やや左寄りの部分において、第２の接着部２１８ｂの上端に折り目２４５を介して連設されている。第２の接着部２１８ｂの内側の面にはシール部Ｓ２１が設けられている。
【００３５】
他方の仕切板２１４は、折り目２３２を介して第２の側面パネル部６０ｂに連設されている。仕切板２１４と第２の側面パネル部６０ｂとの境界には、複数の切り込みからなるミシン目２３６が形成されている。仕切板２１４は、組み立てられた状態において区切り部２２２により区切られる前面側の空間を横方向に仕切る第３および第４の仕切り部２１６ｃ，２１６ｄと、所定箇所に接着される第４〜第６の接着部２１８ｄ〜２１８ｆと、複数の接着部２１８ａ，２１８ｃ，２１８ｄ，２１８ｆが接着される被接着部２２０とを有する。仕切板２１４を構成する各部について、第２の側面パネル６０ｂに連設された基端側から順に、第６の接着部２１８ｆ、第４の仕切り部２１６ｄ、第５の接着部２１８ｅ、第３の仕切り部２１６ｃ、及び第４の接着部２１８ｄが直線状に並んだ状態で折り目２４６〜２４９を介して連設されている。また、被接着部２２０は、図２２において横方向に長く形成され、横方向の中央やや左寄りの部分において、第４の接着部２１８ｄの下端に折り目２５０を介して連設されている。第５の接着部２１８ｅ及び被接着部２２０の内側の面には、シール部Ｓ２２〜Ｓ２６が設けられている。
【００３６】
図２３〜図２９に基づき、ブランクシート２０２を組み立てる手順について説明する。図２３（ａ）に示すように。先ず、一方の仕切板２１２の区切り部２２２を折り目２４５に沿って折り曲げ、区切り部２２２を第２の接着部２１８ｂに貼り合わせる。続いて、図２３（ｂ）に示すように、第１の仕切り部２１６ａを折り目２４１に沿って第１の接着部２１８ａの内側の面に重ねるように折り曲げるとともに、第２の接着部２１８ｂを折り目２４２に沿って第１の仕切り部２１６ａの外側の面に重ねるように折り曲げる。
【００３７】
次に、図２４（ａ）に示すように、他方の仕切板２１４全体を折り目２３２に沿って折り曲げるとともに、図２４（ｂ）に示すように、第３の仕切り部２１６ｃを折り目２４７に沿って第５の接着部２１８ｅの外側の面に重ねるように折り曲げ、これにより、２つの仕切板２１２，２１４は図２５に示すように折り畳まれた状態となる。
【００３８】
続いて、図２６に示すように、第２の側面パネル部６２ｂを折り目７６に沿って後面パネル部５６の内側の面に重ねるように折り曲げる。このとき、一方の仕切板２１２の第２の仕切り部２１６ｂと区切り部２２２との間に、他方の仕切板２１４の第３の仕切り部２１６ｃと第５の接着部２１８ｅとの折り重ね部分を挟み込むとともに、第５の接着部２１８ｅを区切り部２２２に貼り合わせる。これにより、図２７に示すように、一方の仕切板２１２の第１および第３の接着部２１８ａ，２１８ｃと、他方の仕切板２１４の第４および第６の接着部２１８ｄ，２１８ｆとが表面に露出した状態となる。続いて、仕切板２１４の被接着部２２０を折り目２５０に沿って折り曲げて、第１の接着部２１８ａ、第３の接着部２１８ｃ、第４の接着部２１８ｄ及び第６の接着部２１８ｆに、被接着部２２０を貼り合わせ、これにより図２８に示す状態となり、折り畳まれた状態の仕切部材２１０が形成される。
【００３９】
以降は第２の実施形態と同じ手順で組み立てられる。すなわち、後面パネル部５６を略直角に折り曲げた後、図２９に示すように、折り畳まれていた仕切部材２１０を拡げながら、第２の側面パネル部６０ｂ，６２ｂを前方へ略直角に折り曲げる。続いて、第２の実施形態と同じ折り曲げ工程により、第１の側面パネル部６０ａ，６２ａを第２の側面パネル部６０ｂ，６２ｂに貼り合わせた後、第３の側面パネル部６０ｃ，６２ｃを第１の側面パネル部６０ａ，６２ａに貼り合わせる。最後に、収容物を箱の内部に収容した状態で蓋部１５を閉じることで、ブランクシート２０２の組立てが完了する。第３の実施形態においても、上述の実施形態と同様、蓋部１５の接着が紙箱２０１の前面と上面の２面で行われることとなるため、開封前に誤って蓋部１５が開いてしまうことを確実に防止することができる。
【００４０】
第３の実施形態においても、紙箱２０１の開封、及び開封後の再封入は、上述の実施形態と同様に行うことができる（図７参照）。また、上述の実施形態と同様、開封後の再封入の際、蓋部１５の上面部１６と側面部１０，１２の上端との間の隙間を内側片３２により概ね塞ぐことができる。さらに、紙箱２０１の解体の際、側面部１０，１２を外側に倒すようにしながら、第３の側面パネル部６０ｃ，６２ｃをミシン目９４，９５に沿って前面部８から切り離し、第２の側面パネル部６０ｂ，６２ｂをミシン目９２，９３，２３４，２３６に沿って後面部６と仕切板２１２，２１４とから切り離すことで、側面部１０，１２を前面部８、後面部６及び仕切板２１２，２１４から容易に切り離すことができる。これにより、紙箱２０１を容易に薄板状にすることができ、廃棄時の利便性が高められる。
【００４１】
［第４の実施形態］
図３０〜図３６を参照しながら本発明の第４の実施形態について説明する。なお、図３０〜図３６において、第１〜第３の実施形態と同様の構成からなる部材には、第１〜第３の実施形態と同じ符号を付してある。
【００４２】
図３０に示すように、第４の実施形態に係る紙箱３０１は、第１の実施形態に係る紙箱１と同様、筒状周壁４と、筒状周壁４の下端開口を塞ぐ底面部１４と、筒状周壁４の上端開口を開閉する蓋部１５とを備え、それら筒状周壁４、底面部１４及び蓋部１５は、第１の実施形態と同様に構成されている。
【００４３】
紙箱３０１は、第２及び第３の実施形態と同様、筒状周壁４に囲まれた内部空間を仕切る仕切部材３１０を有するが、仕切部材３１０の構成が第２及び第３の実施形態と異なる。第４の実施形態に係る仕切部材３１０は、紙箱３０１の内部空間を前後方向に並ぶ複数の空間に区分するように構成されている。仕切部材３１０を設けることで、仕切部材３１０により区切られた各区分に、薬品の容器等の比較的小さな収容物を整然と並べて収容することができる。
【００４４】
紙箱３０１は、図３１に示すブランクシート３０２を組み立てることで形成される。なお、図３１は、組み立てられたときに箱の内側に配置される面側から見たブランクシート３０２の平面図である。ブランクシート３０２は、第２の実施形態に係るブランクシート１０２と概ね同様に構成されているが、仕切部材３１０を構成する仕切板３１２，３１４の構成が第２の実施形態と異なる。
【００４５】
一方の仕切板３１２は、折り目３３０を介して第２の側面パネル部６２ｂに連設されている。仕切板３１２は、組み立てられた状態において紙箱３０１の内部空間を前後方向に仕切る第１の仕切り部３１６ａと、所定箇所に接着される第１及び第２の接着部３１８ａ，３１８ｂとを有する。仕切板３１２を構成する各部について、第２の側面パネル部６２ｂに連設された基端側から順に、第１の接着部３１８ａ、第１の仕切り部３１６ａ、及び第２の接着部３１８ｂが、直線状に並んだ状態で折り目３４１，３４２を介して連設されている。第１の接着部３１８ａと第１の仕切り部３１６ａとの境界と、第１の仕切り部３１６ａと第２の接着部３１８ｂとの境界とには、複数の切り込みからなるミシン目３５１，３５２がそれぞれ形成されている。第１の接着部３１８ａの内側の面にはシール部Ｓ３１が設けられている。また、第２の接着部３１８ｂを接着するためのシール部Ｓ３２が、第２の側面パネル部６０ｂの内側の面における所定箇所に設けられている。
【００４６】
他方の仕切板３１４は、折り目３３２を介して第２の側面パネル部６０ｂに連設されている。仕切板３１４は、組み立てられた状態において紙箱３０１の内部空間を前後方向に仕切る第２の仕切り部３１６ｂと、所定箇所に接着される第３及び第４の接着部３１８ｃ，３１８ｄとを有する。仕切板３１４を構成する各部について、第２の側面パネル６０ｂに連設された基端側から順に、第３の接着部３１８ｃ、第２の仕切り部３１６ｂ、及び第４の接着部３１８ｄが直線状に並んだ状態で折り目３４３，３４４を介して連設されている。第３の接着部３１８ｃと第２の仕切り部３１６ｂとの境界と、第２の仕切り部３１６ｂと第４の接着部３１８ｄとの境界とには、複数の切り込みからなるミシン目３５３，３５４がそれぞれ形成されている。第３の接着部３１８ｃ及び第４の接着部２１８ｄの内側の面には、シール部Ｓ３３，Ｓ３４が設けられている。
【００４７】
図３２〜図３６に基づき、ブランクシート３０２を組み立てる手順について説明する。図３２に示すように。先ず、一方の仕切板３１２全体を折り目３３０に沿って折り曲げ、第１の接着部３１８ａを第２の側面パネル部６２ｂの内側の面に貼り合わせる。続いて、図３３に示すように、他方の仕切板３１４全体を折り目３３２に沿って折り曲げ、第３の接着部３１８ｃを第２の側面パネル部６０ｂに貼り合わせる。次に、図３４に示すように、第２の仕切り部３１６ｂを折り目３４３に沿って第３の接着部３１８ｃに重ねるように折り曲げる。続いて、第２の側面パネル部６０ｂを折り目７５に沿って後面パネル部５６の内側の面に重ねるように折り曲げ、これにより、図３５に示すように折り畳まれた状態の仕切部材３１０が形成される。
【００４８】
以降は第２及び第３の実施形態と同じ手順で組み立てられる。すなわち、後面パネル部５６を略直角に折り曲げた後、図３６に示すように、折り畳まれていた仕切部材３１０を拡げながら、第２の側面パネル部６０ｂ，６２ｂを前方へ略直角に折り曲げる。続いて、第２及び第３の実施形態と同じ折り曲げ工程により、第１の側面パネル部６０ａ，６２ａを第２の側面パネル部６０ｂ，６２ｂに貼り合わせた後、第３の側面パネル部６０ｃ，６２ｃを第１の側面パネル部６０ａ，６２ａに貼り合わせる（図３０参照）。最後に、収容物を箱の内部に収容した状態で蓋部１５を閉じることで、ブランクシート３０２の組立てが完了する。第４の実施形態においても、上述の実施形態と同様、蓋部１５の接着が紙箱３０１の前面と上面の２面で行われることとなるため、開封前に誤って蓋部１５が開いてしまうことを確実に防止することができる。
【００４９】
第４の実施形態においても、紙箱３０１の開封、及び開封後の再封入は、上述の実施形態と同様に行うことができる（図７参照）。また、上述の実施形態と同様、開封後の再封入の際、蓋部１５の上面部１６と側面部１０，１２の上端との間の隙間を内側片３２により概ね塞ぐことができる。さらに、紙箱３０１の解体の際、側面部１０，１２を外側に倒すようにしながら、第３の側面パネル部６０ｃ，６２ｃをミシン目９４，９５に沿って前面部８から切り離し、第２の側面パネル部６０ｂ，６２ｂをミシン目９２，９３に沿って後面部６から切り離すことで、側面部１０，１２を前面部８及び後面部６から容易に切り離すことができる。このとき、仕切板３１２の第１の仕切り部３１６ａは、ミシン目３５１又はミシン目３５２に沿って、第１の接着部３１８ａ又は第２の接着部３１８ｂのいずれか一方から切り離される。同様に、仕切板３１４の第２の仕切り部３１６ｂは、ミシン目３５３又はミシン目３５４に沿って、第３の接着部３１８ｃ又は第４の接着部３１８ｄのいずれか一方から切り離される。このようにして、紙箱３０１を容易に薄板状にすることができ、廃棄時の利便性が高められる。
【００５０】
［第５の実施形態］
図３７〜図４２を参照しながら本発明の第５の実施形態について説明する。なお、図３７〜図４２において、第１〜第４の実施形態と同様の構成からなる部材には、第１〜第４の実施形態と同じ符号を付してある。
【００５１】
図３７に示すように、第５の実施形態に係る紙箱４０１は、第１の実施形態に係る紙箱１と同様、筒状周壁４と、筒状周壁４の下端開口を塞ぐ底面部１４と、筒状周壁４の上端開口を開閉する蓋部１５とを備え、それら筒状周壁４、底面部１４及び蓋部１５は、第１の実施形態と同様に構成されている。
【００５２】
紙箱４０１は、筒状周壁４に囲まれた内部空間を仕切る仕切部材４１０を有する。仕切部材４１０は、第４の実施形態と同様、紙箱４０１の内部空間を前後方向に並ぶ複数の空間に区分するように構成されているが、第４の実施形態とは構造が異なる。
【００５３】
紙箱４０１は、図３８に示すブランクシート４０２を組み立てることで形成される。なお、図３８は、組み立てられたときに箱の内側に配置される面側から見たブランクシート４０２の平面図である。ブランクシート４０２は、第４の実施形態に係るブランクシート３０２と概ね同様に構成されているが、仕切部材４１０を構成する仕切板４１２，４１４の構成が第４の実施形態と異なる。
【００５４】
一方の仕切板４１２は、折り目４３０を介して第２の側面パネル部６２ｂに連設されている。仕切板４１２と第２の側面パネル部６２ｂとの境界には、複数の切り込みからなるミシン目４３４が形成されている。仕切板４１２は、組み立てられた状態において紙箱４０１の内部空間を前後方向に仕切る第１の仕切り部４１６ａと、所定箇所に接着される第１及び第２の接着部４１８ａ，４１８ｂとを有する。仕切板４１２を構成する各部について、第２の側面パネル部６２ｂに連設された基端側から順に、第１の接着部４１８ａ、第１の仕切り部４１６ａ、及び第２の接着部４１８ｂが、直線状に並んだ状態で折り目４４１，４４２を介して連設されている。第１の接着部４１８ａと第１の仕切り部４１６ａとの境界と、第１の仕切り部４１６ａと第２の接着部４１８ｂとの境界とには、複数の切り込みからなるミシン目４５１，４５２がそれぞれ形成されている。第１の接着部４１８ａの内側の面にはシール部Ｓ４１が設けられている。また、第２の接着部４１８ｂの外側の面にはシール部Ｓ４２が設けられている（図４１参照）。
【００５５】
他方の仕切板４１４は、折り目４３２を介して第２の側面パネル部６０ｂに連設されている。仕切板４１４と第２の側面パネル部６０ｂとの境界には、複数の切り込みからなるミシン目４３６が形成されている。仕切板４１４は、組み立てられた状態において紙箱４０１の内部空間を前後方向に仕切る第２の仕切り部４１６ｂと、所定箇所に接着される第３及び第４の接着部４１８ｃ，４１８ｄとを有する。仕切板４１４を構成する各部について、第２の側面パネル６０ｂに連設された基端側から順に、第３の接着部４１８ｃ、第２の仕切り部４１６ｂ、及び第４の接着部４１８ｄが直線状に並んだ状態で折り目４４３，４４４を介して連設されている。第３の接着部４１８ｃと第２の仕切り部４１６ｂとの境界と、第２の仕切り部４１６ｂと第４の接着部４１８ｄとの境界とには、複数の切り込みからなるミシン目４５３，４５４がそれぞれ形成されている。第３の接着部４１８ｃ及び第４の接着部４１８ｄの内側の面には、シール部Ｓ４３，Ｓ４４が設けられている。
【００５６】
図３９〜図４２に基づき、ブランクシート４０２を組み立てる手順について説明する。図３９に示すように、先ず、一方の仕切板４１４全体を折り目４３２に沿って折り曲げ、第３の接着部４１８ｃを第２の側面パネル部６０ｂの内側の面に貼り合わせる。続いて、図４０に示すように、第２の仕切り部４１６ｂを折り目４４３に沿って第３の接着部４１８ｃに重ねるように折り曲げる。続いて、図４１に示すように、第２の側面パネル部６０ｂを折り目７５に沿って後面パネル部５６に重ねるように折り曲げ、第４の接着部４１８ｄを第２の側面パネル部６２ｂに貼り合わせる。これにより、第２の側面パネル部６０ｂの下側において、第３の接着部４１８ｃと第２の仕切り部４１６ｂとが折り重ねられる。次に、他方の仕切板４１２全体を折り目４３０に沿って折り曲げ、仕切板４１２の先端部を、第３の接着部４１８ｃと第２の仕切り部４１６ｂとの間に挟み込む。このとき、第１の接着部４１８ａが側面パネル部６２ｂに貼り合わされ、第２の接着部４１８ｂが第３の接着部４１８ｃに貼り合わされる。これにより、図４２に示すように折り畳まれた状態の仕切部材４１０が形成される。
【００５７】
以降は第４の実施形態と同じ手順で組み立てられる。すなわち、後面パネル部５６を略直角に折り曲げた後、折り畳まれていた仕切部材４１０を拡げながら、第２の側面パネル部６０ｂ，６２ｂを前方へ略直角に折り曲げ（図３６参照）、第２の側面パネル６０ｂ，６２ｂの外側に、第１の側面パネル部６０ａ，６２ａ及び第３の側面パネル部６０ｃ，６２ｃを順に重ねて互いに貼り合わせる（図３７参照）。最後に、収容物を箱の内部に収容した状態で蓋部１５を閉じることで、ブランクシート４０２の組立てが完了する。
【００５８】
第５の実施形態においても、上述の実施形態と同様、蓋部１５の接着が紙箱４０１の前面と上面の２面で行われることとなるため、開封前に誤って蓋部１５が開いてしまうことを確実に防止することができる。また、紙箱４０１の開封、及び開封後の再封入は、上述の実施形態と同様に行うことができる（図７参照）。さらに、上述の実施形態と同様、開封後の再封入の際、蓋部１５の上面部１６と側面部１０，１２の上端との間の隙間を内側片３２により概ね塞ぐことができる。加えて、紙箱４０１の解体の際、側面部１０，１２を外側に倒すようにしながら、第３の側面パネル部６０ｃ，６２ｃをミシン目９４，９５に沿って前面部８から切り離し、第２の側面パネル部６０ｂ，６２ｂをミシン目９２，９３に沿って後面部６から切り離すことで、側面部１０，１２を前面部８及び後面部６から容易に切り離すことができる。このとき、仕切板４１２の第１の仕切り部４１６ａは、ミシン目４５１又はミシン目４５２に沿って、第１の接着部４１８ａ又は第２の接着部４１８ｂのいずれか一方から切り離される。同様に、仕切板４１４の第２の仕切り部４１６ｂは、ミシン目４５３又はミシン目４５４に沿って、第３の接着部４１８ｃ又は第４の接着部４１８ｄのいずれか一方から切り離される。このようにして、紙箱４０１を容易に薄板状にすることができ、廃棄時の利便性が高められる。
【００５９】
［第６の実施形態］
図４３〜図４７を参照しながら本発明の第６の実施形態について説明する。なお、図４３〜図４７において、第１〜第５の実施形態と同様の構成からなる部材には、第１〜第５の実施形態と同じ符号を付してある。
【００６０】
図４３に示すように、第６の実施形態に係る紙箱５０１は、第１の実施形態に係る紙箱１と同様、筒状周壁４と、筒状周壁４の下端開口を塞ぐ底面部１４と、筒状周壁４の上端開口を開閉する蓋部１５とを備え、それら筒状周壁４、底面部１４及び蓋部１５は、第１の実施形態と同様に構成されている。
【００６１】
紙箱５０１は、筒状周壁４に囲まれた内部空間を仕切る仕切部材５１０を有する。仕切部材５１０は、第４及び第５の実施形態と同様、紙箱５０１の内部空間を前後方向に並ぶ複数の空間に区分するように構成されているが、第４及び第５の実施形態とは構造が異なる。
【００６２】
紙箱５０１は、図４４に示すブランクシート５０２を組み立てることで形成される。なお、図４４は、組み立てられたときに箱の内側に配置される面側から見たブランクシート５０２の平面図である。ブランクシート５０２は、第４の実施形態に係るブランクシート３０２と概ね同様に構成されているが、仕切部材５１０を構成する仕切板５１２，５１４の構成が第４の実施形態と異なる。
【００６３】
一方の仕切板５１２は、折り目５３０を介して第２の側面パネル部６２ｂの右端に連設されている。仕切板５１２は、組み立てられた状態において紙箱５０１の内部空間を前後方向に仕切る第１の仕切り部５１６ａと、所定箇所に接着される第１及び第２の接着部５１８ａ，５１８ｂとを有する。仕切板５１２を構成する各部について、第２の側面パネル部６２ｂに連設された基端側から順に、第１の接着部５１８ａ、第１の仕切り部５１６ａ、及び第２の接着部５１８ｂが、直線状に並んだ状態で折り目５４１，５４２を介して連設されている。第１の接着部５１８ａと第１の仕切り部５１６ａとの境界と、第１の仕切り部５１６ａと第２の接着部５１８ｂとの境界とには、複数の切り込みからなるミシン目５５１，５５２がそれぞれ形成されている。第１の接着部５１８ａの内側の面にはシール部Ｓ５１が設けられている。また、第２の接着部５１８ｂの外側の面にはシール部Ｓ５２が設けられている（図４６参照）。
【００６４】
他方の仕切板５１４は、折り目５３２を介して第２の側面パネル部６２ｂの上端に連設されている。仕切板５１４は、組み立てられた状態において紙箱５０１の内部空間を前後方向に仕切る第２の仕切り部５１６ｂと、所定箇所に接着される第３及び第４の接着部５１８ｃ，５１８ｄとを有する。第３の接着部５１８ｃは、図４４において上下方向に細長い形状を有し、その下端において第２の側面パネル部６２ｂに連設されている。第３の接着部５１８ｃの右上部には、第２の仕切り部５１６ｂが折り目５４３を介して連設されている。第２の仕切り部５１６ｂは、図４４において横方向に細長い形状を有し、第２の仕切り部５１６ｂの右端には折り目５４４を介して第４の接着部５１８ｄが連設されている。第３の接着部５１８ｃと第２の仕切り部５１６ｂとの境界と、第２の仕切り部５１６ｂと第４の接着部５１８ｄとの境界とには、複数の切り込みからなるミシン目５５３，５５４がそれぞれ形成されている。第３の接着部５１８ｃ及び第４の接着部５１８ｄの内側の面には、シール部Ｓ５３，Ｓ５４が設けられている。
【００６５】
図４５〜図４７に基づき、ブランクシート５０２を組み立てる手順について説明する。図４５（ａ）に示すように、先ず、一方の仕切板５１４全体を折り目５３２に沿って折り曲げ、第３の接着部５１８ｃを第２の側面パネル部６２ｂの内側の面に貼り合わせる。続いて、図４５（ｂ）に示すように、他方の仕切板５１２全体を折り目５３０に沿って折り曲げ、これに伴い、もう一方の仕切板５１４の第２の仕切り部５１６ｂが折り目５４３に沿って折り曲げられる。これにより、図４６に示すように、第２の仕切り部５１６ｂと第４の接着部５１８ｄが後面パネル部５６の上に重ねられ、第２の仕切り部５１６ｂの上に仕切板５１２が重ねられる。このとき、第１の接着部５１８ａが第２の側面パネル部６２ｂに貼り合わされる。また、このとき、第２の接着部５１８ｂのシール部Ｓ５２と第４の接着部５１８ｄのシール部Ｓ５４とが、表面に露出した状態となる。次に、第２の側面パネル部６０ｂを折り目７５に沿って後面パネル部５６に重ねるように折り曲げ、これにより、第２の側面パネル部６０ｂの内側の面に、第２の接着部５１８ｂと第４の接着部５１８ｄが貼り合わされる。このようにして、図４７に示すように折り畳まれた状態の仕切部材５１０が形成される。
【００６６】
以降は第４の実施形態と同じ手順で組み立てられる。すなわち、後面パネル部５６を略直角に折り曲げた後、折り畳まれていた仕切部材５１０を拡げながら、第２の側面パネル部６０ｂ，６２ｂを前方へ略直角に折り曲げ（図３６参照）、第２の側面パネル６０ｂ，６２ｂの外側に、第１の側面パネル部６０ａ，６２ａ及び第３の側面パネル部６０ｃ，６２ｃを順に重ねて互いに貼り合わせる（図４３参照）。最後に、収容物を箱の内部に収容した状態で蓋部１５を閉じることで、ブランクシート５０２の組立てが完了する。
【００６７】
第６の実施形態においても、上述の実施形態と同様、蓋部１５の接着が紙箱５０１の前面と上面の２面で行われることとなるため、開封前に誤って蓋部１５が開いてしまうことを確実に防止することができる。また、紙箱５０１の開封、及び開封後の再封入は、上述の実施形態と同様に行うことができる（図７参照）。さらに、上述の実施形態と同様、開封後の再封入の際、蓋部１５の上面部１６と側面部１０，１２の上端との間の隙間を内側片３２により概ね塞ぐことができる。加えて、紙箱５０１の解体の際、側面部１０，１２を外側に倒すようにしながら、第３の側面パネル部６０ｃ，６２ｃをミシン目９４，９５に沿って前面部８から切り離し、第２の側面パネル部６０ｂ，６２ｂをミシン目９２，９３に沿って後面部６から切り離すことで、側面部１０，１２を前面部８及び後面部６から容易に切り離すことができる。このとき、仕切板５１２，５１４は、側面部１０，１２との接着部分以外の部分で容易に破断される。このとき、仕切板５１２の第１の仕切り部５１６ａは、ミシン目５５１又はミシン目５５２に沿って、第１の接着部５１８ａ又は第２の接着部５１８ｂのいずれか一方から切り離される。同様に、仕切板５１４の第２の仕切り部５１６ｂは、ミシン目５５３又はミシン目５５４に沿って、第３の接着部５１８ｃ又は第４の接着部５１８ｄのいずれか一方から切り離される。このようにして、紙箱５０１を容易に薄板状にすることができ、廃棄時の利便性が高められる。
【００６８】
以上、上述の実施形態を挙げて本発明を説明したが、本発明は上述の実施形態に限定されるものではない。
【００６９】
例えば、上述の実施形態では、本発明が概略直方体の紙箱に適用される場合について説明したが、本発明は、直方体以外の形状をした紙箱にも適用することができ、例えば円柱または六角柱等の形状をした紙箱に適用してもよい。
【図面の簡単な説明】
【００７０】
【図１】第１の実施形態に係る紙箱を示す斜視図である。
【図２】図１に示す紙箱の形成に使用されるブランクシートの平面図である。
【図３】図２に示すブランクシートを組み立てる手順を示す斜視図である。
【図４】図２に示すブランクシートを組み立てる手順を示す斜視図である。
【図５】図２に示すブランクシートを組み立てる手順を示す斜視図である。
【図６】組み立てが完了した状態の紙箱を示す斜視図である。
【図７】紙箱を開封した状態を示す斜視図である。
【図８】紙箱を解体した状態を示す斜視図である。
【図９】第２の実施形態に係る紙箱を示す斜視図である。
【図１０】図９に示す紙箱の形成に使用されるブランクシートの平面図である。
【図１１】図１０に示すブランクシートを組み立てる手順を示す斜視図である。
【図１２】図１０に示すブランクシートを組み立てる手順を示す斜視図である。
【図１３】図１０に示すブランクシートを組み立てる手順を示す斜視図である。
【図１４】図１０に示すブランクシートを組み立てる手順を示す平面図である。
【図１５】図１０に示すブランクシートを組み立てる手順を示す平面図である。
【図１６】図１０に示すブランクシートを組み立てる手順を示す斜視図である。
【図１７】図１０に示すブランクシートを組み立てる手順を示す斜視図である。
【図１８】図１０に示すブランクシートを組み立てる手順を示す斜視図である。
【図１９】図１０に示すブランクシートを組み立てる手順を示す斜視図である。
【図２０】第２の実施形態に係る紙箱を解体した状態を示す斜視図である。
【図２１】第３の実施形態に係る紙箱を示す斜視図である。
【図２２】図２１に示す紙箱の形成に使用されるブランクシートの平面図である。
【図２３】図２１に示すブランクシートを組み立てる手順を示す斜視図である。
【図２４】図２１に示すブランクシートを組み立てる手順を示す斜視図である。
【図２５】図２１に示すブランクシートを組み立てる手順を示す平面図である。
【図２６】図２１に示すブランクシートを組み立てる手順を示す斜視図である。
【図２７】図２１に示すブランクシートを組み立てる手順を示す平面図である。
【図２８】図２１に示すブランクシートを組み立てる手順を示す平面図である。
【図２９】図２１に示すブランクシートを組み立てる手順を示す斜視図である。
【図３０】第４の実施形態に係る紙箱を示す斜視図である。
【図３１】図３０に示す紙箱の形成に使用されるブランクシートの平面図である。
【図３２】図３０に示すブランクシートを組み立てる手順を示す斜視図である。
【図３３】図３０に示すブランクシートを組み立てる手順を示す斜視図である。
【図３４】図３０に示すブランクシートを組み立てる手順を示す斜視図である。
【図３５】図３０に示すブランクシートを組み立てる手順を示す平面図である。
【図３６】図３０に示すブランクシートを組み立てる手順を示す斜視図である。
【図３７】第５の実施形態に係る紙箱を示す斜視図である。
【図３８】図３７に示す紙箱の形成に使用されるブランクシートの平面図である。
【図３９】図３７に示すブランクシートを組み立てる手順を示す斜視図である。
【図４０】図３７に示すブランクシートを組み立てる手順を示す斜視図である。
【図４１】図３７に示すブランクシートを組み立てる手順を示す斜視図である。
【図４２】図３７に示すブランクシートを組み立てる手順を示す平面図である。
【図４３】第６の実施形態に係る紙箱を示す斜視図である。
【図４４】図４３に示す紙箱の形成に使用されるブランクシートの平面図である。
【図４５】図４３に示すブランクシートを組み立てる手順を示す斜視図である。
【図４６】図４３に示すブランクシートを組み立てる手順を示す斜視図である。
【図４７】図４３に示すブランクシートを組み立てる手順を示す斜視図である。
【符号の説明】
【００７１】
１，１０１，２０１，３０１，４０１，５０１：紙箱、２，１０２，２０２，３０２，４０２，５０２：ブランクシート、４：筒状周壁、６：後面部、８：前面部、１０，１２：側面部、１５：蓋部、１６：蓋部の上面部、１７：蓋部の被覆部、２０：周壁接着部、２２：係止部、２６：差し込み口、３０：接着片、３２：内側片、１１０，２１０，３１０，４１０，５１０：仕切部材、１１２，１１４，２１２，２１４，３１２，３１４，４１２，４１４，５１２，５１４：仕切板。
【図１】
0004763734.tif 000002
【図２】
0004763734.tif 000003
【図３】
0004763734.tif 000004
【図４】
0004763734.tif 000005
【図５】
0004763734.tif 000006
【図６】
0004763734.tif 000007
【図７】
0004763734.tif 000008
【図８】
0004763734.tif 000009
【図９】
0004763734.tif 000010
【図１０】
0004763734.tif 000011
【図１１】
0004763734.tif 000012
【図１２】
0004763734.tif 000013
【図１３】
0004763734.tif 000014
【図１４】
0004763734.tif 000015
【図１５】
0004763734.tif 000016
【図１６】
0004763734.tif 000017
【図１７】
0004763734.tif 000018
【図１８】
0004763734.tif 000019
【図１９】
0004763734.tif 000020
【図２０】
0004763734.tif 000021
【図２１】
0004763734.tif 000022
【図２２】
0004763734.tif 000023
【図２３】
0004763734.tif 000024
【図２４】
0004763734.tif 000025
【図２５】
0004763734.tif 000026
【図２６】
0004763734.tif 000027
【図２７】
0004763734.tif 000028
【図２８】
0004763734.tif 000029
【図２９】
0004763734.tif 000030
【図３０】
0004763734.tif 000031
【図３１】
0004763734.tif 000032
【図３２】
0004763734.tif 000033
【図３３】
0004763734.tif 000034
【図３４】
0004763734.tif 000035
【図３５】
0004763734.tif 000036
【図３６】
0004763734.tif 000037
【図３７】
0004763734.tif 000038
【図３８】
0004763734.tif 000039
【図３９】
0004763734.tif 000040
【図４０】
0004763734.tif 000041
【図４１】
0004763734.tif 000042
【図４２】
0004763734.tif 000043
【図４３】
0004763734.tif 000044
【図４４】
0004763734.tif 000045
【図４５】
0004763734.tif 000046
【図４６】
0004763734.tif 000047
【図４７】
0004763734.tif 000048